(57)【要約】【課題】コントロールパネルの操作部にある操作ボタンを押す際、押圧力のかかる方向によっては操作部が閉じてしまったり、あるいはガクガクと不安定な状態となってしまったりし易かったこと。【解決手段】開閉する操作部８の樹脂成型によって形成された、トップマークベース１１（ベース）の中央よりに磁石１０をポケット内に収納し、周囲を囲う金属で構成されたトップマークパネル１３（サッシュ）の出っ張り部分と、トップマークベース１１に収納された磁石１０との磁力による引力と、軸とにより、操作部８を保持する。【選択図】図１
2011058699.tif 000002
【特許請求の範囲】
【請求項１】
加熱庫と、前記加熱庫の前面に開閉自在に設けられた扉と、前記扉の上方に位置し且つ出し入れ自在のコントロールパネルと、操作部を形成している樹脂成型からなるベースと、前記ベースの中央近傍に形成されたポケットと、前記ポケット内に収納固定された磁石と、前記コントロールパネルの周囲を金属によって構成されたサッシュと、を備え、
前記磁石と前記サッシュとが磁力によって引き合うことで、引き出された前記コントロールパネルの前記操作部を保持するビルトイン型加熱装置。
【請求項２】
磁石を収納するポケットが、ベースの中央近傍に２箇所形成された請求項１記載のビルトイン型加熱装置。
【請求項３】
ポケット位置は、回動自在に軸支持され引き出し自在に設けられたコントロールパネルの軸を中心とした回転半径の最も離れた位置に配置された請求項１または２記載のビルトイン型加熱装置。
【請求項４】
コントロールパネルを前方に引き出す時、前記コントロールパネルに装備した磁石の吸着面と対向する面を有し金属で構成されたサッシュを設ける構成とした請求項１から３のいずれか１項に記載のビルトイン型加熱装置。
【発明の詳細な説明】
【技術分野】
【０００１】
本発明は、ビルトイン型加熱装置の操作部に関するものである。
【背景技術】
【０００２】
従来、この種のビルトイン型加熱装置は、キッチンの床に設置するため、操作するコントロールパネルを、装置前面に開閉可能に設けた扉の上方に配置するものが、主流になっている。中でも、人が上から操作しやすくインテリア性を重視し、コントロールパネル部が開閉可能に構成され、使用しない時は閉じる機構としている。
【０００３】
図５は、従来のビルトイン型加熱装置のコントロールパネル部を開いた状態の斜視図である。図５に示すように、ビルトイン型加熱装置は床に設置し、装置の上にはコンロ調理器具２０が配置され、両サイドにはキャビネット２１が配置されている。ここでは、右側キャビネットの無い状態で説明する。
【０００４】
加熱装置前面には、縦に開閉する扉２２と、扉２２の上方には、ハンドル２３が設けられている。扉２２の上には、加熱装置の運転をコントロール操作させるコントロールパネル２４が配置され、操作部２５は開閉機構としており、使用しない時は閉じる構成としている。
【０００５】
図６は、従来のコントロールパネル２４の分解斜視図である。
【０００６】
操作部２５には、軸２６が位置固定され、軸２６が金属性のトップマークパネル２７に支持され、開閉可能に構成されている。操作部２５の開閉状態では、操作部２５にある操作ボタン２８の面は、傾斜した状態で操作性を良くしている。操作部２５の上部は、カザリバン２９によって、インテリア性を良くしている。
【先行技術文献】
【特許文献】
【０００７】
【特許文献１】特開２００４−００３８４５号公報
【発明の概要】
【発明が解決しようとする課題】
【０００８】
しかしながら、前記従来の構成では、操作部２５にある操作ボタン２８を押す際、力のかかる方向によっては、操作部２５が閉じようとする状態、あるいはガクガクと不安定な状態となるという課題を有していた。
【０００９】
本発明は、前記従来の課題を解決するもので、操作部の保持を比較的簡単な構成で実現し小型化できるビルトイン型加熱装置を提供することを目的とする。
【課題を解決するための手段】
【００１０】
前記従来の課題を解決するために、本発明のビルトイン型加熱装置は、加熱庫と、前記加熱庫の前面に開閉自在に設けられた扉と、前記扉の上方に位置し且つ出し入れ自在のコントロールパネルと、操作部を形成している樹脂成型からなるベースと、前記ベースの中央近傍に形成されたポケットと、前記ポケット内に収納固定された磁石と、前記コントロールパネルの周囲を金属によって構成されたサッシュと、を備え、前記磁石と前記サッシュとが磁力によって引き合うことで、引き出された前記コントロールパネルの前記操作部を保持するものである。
【００１１】
これによって、操作部の操作ボタンを押す際の閉じようとする状態やガクガクとした不安定な状態を改善でき、簡素で安価に構成することができる。
【発明の効果】
【００１２】
本発明のビルトイン型加熱装置は、トップマークベースに収納された磁石の磁力によって開閉の為の軸支持された操作部を保持することができる。
【図面の簡単な説明】
【００１３】
【図１】本発明の実施の形態１におけるビルトイン型加熱装置の設置状態斜視図
【図２】本発明の実施の形態１におけるビルトイン型加熱装置の側面図
【図３】本発明の実施の形態１におけるビルトイン型加熱装置のコントロールパネルの構成斜視図
【図４】本発明の実施の形態１におけるビルトイン型加熱装置のコントロールパネルの構成断面図
【図５】従来のビルトイン型加熱装置の設置状態斜視図
【図６】従来のビルトイン型加熱装置のコントロールパネルの分解斜視図
【発明を実施するための形態】
【００１４】
第１の発明は、加熱庫と、前記加熱庫の前面に開閉自在に設けられた扉と、前記扉の上方に位置し且つ出し入れ自在のコントロールパネルと、操作部を形成している樹脂成型からなるベースと、前記ベースの中央近傍に形成されたポケットと、前記ポケット内に収納固定された磁石と、前記コントロールパネルの周囲を金属によって構成されたサッシュと、を備え、前記磁石と前記サッシュとが磁力によって引き合うことで、引き出された前記コントロールパネルの前記操作部を保持することができる。
【００１５】
第２の発明は、第１の発明において特に、磁石を収納するポケットが、ベースの中央に２箇所形成されることで、１個の磁石より強力に吸着保持でき、ベースの中央近傍に左右対称的に設けることにより、左右のガタツキを防ぐことができるとともに、必要な吸着力を２個の磁石で実現できるので、磁石の選定に自由度を持たせることができる。
【００１６】
第３の発明は、第１または第２の発明において、ポケット位置は、回動自在に軸支持され引き出し自在に設けられたコントロールパネルの軸を中心とした回転半径の最も離れた位置に配置されることで、磁石に強い回転モーメント力を与えることができ、磁石の保持力を強く作用させることができる。
【００１７】
第４の発明は、第１から３のいずれかの発明において、コントロールパネルに装備した磁石と対面する金属で構成されたサッシュに傾斜した形状からなる突起を設け、且つ傾斜面に磁石が着き操作部を強く保持できる構成とすることで、コントロールパネル５を前方に引き出す時、回転してきた磁石１０を受け止めて吸着し、コントロールパネル５をしっかり保持できる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態におけるビルトイン型加熱装置の設置状態を示すものである。
【００２０】
図１においては、ビルトイン型加熱装置は、床とキッチン高さの中央に配置される場合
が多く、加熱装置１の両サイドにはキャビネット２が配置され、キャビネット２（加熱庫）にも収納できるシステムキッチンとしている。更に、加熱装置１の上には、コンロ３が配置される構成としている。従って、加熱装置１の前面、扉４の上に位置する開閉自在のコントロールパネル５は、使用する人に対しては比較的に低い位置にある。
【００２１】
図２は、本発明の実施の形態１におけるビルトイン型加熱装置の設置状態の側面図である。
【００２２】
加熱装置１の下には台６があり、引き出し型の収納が多い。扉４は縦に開閉し、扉４の上端にハンドル７が設けられている。扉４の上には、使用時に手動で回転させ出し入れするコントロールパネル５が、配置されている。従って、キッチン高さなどの制約から、コントロールパネル５の高さを低くしなければならない場合が多いのが実態である。
【００２３】
図３は、コントロールパネル５の分解斜視図である。図３において、コントロールパネル５を手前に回転させて引き出し、操作部８のユニットを露出させた状態を示す。
【００２４】
操作部８は、軸９の支持と前方（引き出す方向）に、付勢するバネによって開く構成としている。操作部８の中央近くに、磁石１０が、対称的に２つ取り付けられている。磁石１０は標準的に使用されているもので、一般では樹脂ホルダーに磁石と金属板が収納されている。樹脂成型品から構成されているトップマークベース１１（ベース）に、磁石１０を収納するポケット１２が形成され、磁石１０を挿入すると、磁石１０を樹脂ホルダーの爪によってロックする構成としている。又、操作部８が軸９で軸支持され、収納するトップマークパネル１３（サッシュ）は磁性金属からなり、トップマークベース１１のポケット１２に装着された磁石１０の位置に、トップマークパネル１３の一部の傾斜部１４が形成され、それに磁石１０が吸着する構成としている。
【００２５】
図４は、本発明の実施の形態１におけるビルトイン型加熱装置の断面図である。
【００２６】
操作部８は、磁性体の金属からなるトップマークパネル１３に、操作部８の軸９によって支持固定され回転稼動する。図４は、操作部８が開いた状態を示し、トップマークベース１１にポケット１２が形成され、このポケット１２内に収納された磁石１０の吸着面が、トップマークパネル１３に形成された傾斜部１４の面に、磁力によって吸着すると共に、操作部８がそれ以上引き出されないためのストッパーとして機能している。更に、磁石１０は、操作部８の軸９から最も遠い位置に配置し、弱い磁力を最大限生かす構成としている。その理由は、磁石の磁力の強い物は、コスト的にも高くなるからである。
【００２７】
以上のように構成することで、操作部８のキー操作をした際においても、磁石１０とトップマークパネル１３との吸着支持によって、操作部８が適度に支持され、ガタつきや容易に閉じてしまうことを改善することができる。更に、構成的にも磁石１０のみの追加でよく、その磁力もあまり必要としないので、構成が簡単であり、コストも比較的安価に構成できる。
【００２８】
また、磁石１０が、操作部８を前方に引き出した状態において、外部からの強い力が加わった時でも、操作部８が壊れることを防止できる。
【００２９】
また、磁石１０を収納するポケット１２が、トップマークベース１１の中央近傍に２箇所形成することにより、１個の磁石より強力に吸着保持でき、トップマークベース１１の中央近傍に左右対称的に設けることにより、左右のガタつきを防ぐことができる。そして、必要な吸着力を２個の磁石１０で実現できるので、磁石１０の選定に自由度を持たせることができる。
【００３０】
また、ポケット１２の位置を、回動自在に軸支持され引き出し自在に設けられたコントロールパネル５の軸９を中心とした回転半径の最も離れた位置に配置することにより、磁石１０に強い回転モーメント力を与えることができ、磁石１０の保持力を強く作用させることができる。
【００３１】
さらに、コントロールパネル５を前方に引き出す時、コントロールパネル５に装備した磁石１０の吸着面と対向する面を有し金属で構成されたトップマークパネル１３（サッシュ）を設ける構成とすることにより、コントロールパネル５を前方に引き出す時、回転してきた磁石１０を受け止めて吸着し、コントロールパネル５をしっかり保持できる。
【産業上の利用可能性】
【００３２】
以上のように、本発明にかかるビルトイン型加熱装置は、比較的簡単で実現が容易な構成により、操作部の操作性を良くし品位を高めることができる。
【符号の説明】
【００３３】
２  キャビネット（加熱庫）
４  扉
５  コントロールパネル
８  操作部
９  軸
１０  磁石
１１  トップマークベース（ベース）
１２  ポケット
１３  トップマークパネル（サッシュ）
１４  傾斜部
【図１】
2011058699.tif 000003
【図２】
2011058699.tif 000004
【図３】
2011058699.tif 000005
【図４】
2011058699.tif 000006
【図５】
2011058699.tif 000007
【図６】
2011058699.tif 000008